(57)【要約】【課題】波形データの記録開始条件を確実かつ容易に設定可能とする。【解決手段】波形データの記録開始条件を規定して開始条件データを生成するデータ生成処理において、ポインティングデバイスによって波形表示部２１上の任意の一点（例えば、位置Ｐ１または位置Ｐ２）を始点とするドラッグ操作が行なわれたときに、始点に対応する信号レベルを記録開始条件のトリガレベルとして特定し、ドラッグ操作における上下方向に沿った操作成分の向きが信号レベルの増加方向に対応する向きのときには、測定値がトリガレベルを超えて増加した時点を基点として波形データの記録開始時点を特定して記録開始条件を規定し、上下方向の操作成分の向きが信号レベルの減少方向に対応する向きのときには、測定値がトリガレベルを下回って減少した時点を基点として記録開始時点を特定して記録開始条件を規定し、規定した記録開始条件を特定可能に開始条件データを生成する。【選択図】図３
2019078581.tif 000002
【特許請求の範囲】
【請求項１】
測定装置によって生成された波形データにおける各測定値の信号レベルを波形表示画面における第１の方向に対応させ、かつ当該各測定値の測定順序を当該波形表示画面における当該第１の方向と交差する第２の方向に対応させて当該波形データに基づく信号波形を当該波形表示画面に表示させる処理部を備えた波形表示制御装置であって、
前記波形表示画面に対するドラッグ操作が可能なポインティングデバイスを備え、
前記処理部は、前記測定装置による前記波形データの少なくとも記録開始条件を規定して開始条件データを生成するデータ生成処理を実行可能に構成されると共に、当該データ生成処理において、前記ポインティングデバイスによって前記波形表示画面上の任意の一点を始点とするドラッグ操作が行なわれたときに、当該始点に対応する前記信号レベルを前記記録開始条件のトリガレベルとして特定し、当該ドラッグ操作における前記第１の方向に沿った第１の操作成分の向きが前記信号レベルの増加方向に対応する向きのときには、前記測定値が前記トリガレベルを超えて増加した時点を基点として前記波形データの記録開始時点を特定して前記記録開始条件を規定し、当該第１の操作成分の向きが前記信号レベルの減少方向に対応する向きのときには、前記測定値が前記トリガレベルを下回って減少した時点を基点として前記記録開始時点を特定して前記記録開始条件を規定し、規定した当該記録開始条件を特定可能に前記開始条件データを生成する波形表示制御装置。
【請求項２】
前記処理部は、前記データ生成処理において、前記波形表示画面において最先の前記測定値がプロットされるべき表示位置と、前記ドラッグ操作における前記始点との前記第２の方向に沿った長さの当該波形表示画面上における時間長を特定すると共に、前記基点に対して特定した当該時間長だけ前の時点を前記記録開始時点として特定して前記記録開始条件を規定する請求項１記載の波形表示制御装置。
【請求項３】
前記処理部は、前記データ生成処理において、前記ドラッグ操作における前記第２の方向に沿った第２の操作成分の大きさに対応する前記波形表示画面上における時間長を特定すると共に、前記基点に対して特定した当該時間長だけ前の時点を前記記録開始時点として特定して記録開始条件を規定する請求項１記載の波形表示制御装置。
【請求項４】
前記処理部は、前記データ生成処理の開始時に、指定された前記波形データの信号波形を前記波形表示画面に表示させる請求項１から３のいずれかに記載の波形表示制御装置。
【請求項５】
前記処理部は、前記データ生成処理において、前記記録開始条件を規定したときに、規定した当該記録開始条件を示す条件表示を前記波形表示画面に表示させる請求項１から４のいずれかに記載の波形表示制御装置。
【請求項６】
請求項１から５のいずれかに記載の波形表示制御装置と、前記測定装置と、前記波形表示画面を表示可能な表示装置とを備え、前記波形表示制御装置によって生成した前記開始条件データに基づいて前記測定装置によって前記測定値を記録して前記波形データを生成すると共に、前記波形表示制御装置の制御下で前記波形データの信号波形を前記表示装置に表示可能に構成されている波形記録システム。
【発明の詳細な説明】
【技術分野】
【０００１】
本発明は、波形データに基づく信号波形の表示、および波形データの記録開始条件を特定可能な条件データの生成を実行可能に構成された波形表示制御装置、並びにそのような波形表示制御装置を備えて構成された波形記録システムに関するものである。
【背景技術】
【０００２】
出願人は、測定データに基づく波形を表示画面に表示可能な波形表示装置（波形記録装置：測定装置）を下記の特許文献に開示している。この場合、出願人が開示している波形表示装置は、液晶パネルなどの表示画面の前面にタッチパネルが配設されており、タッチパネルに対する操作によって各種の処理を実行させることが可能に構成されている。
【０００３】
この波形表示装置による波形の表示に際しては、まず、ＣＰＵが、測定部を制御して測定処理を実行させて測定データを取得する。次いで、ＣＰＵは、取得した測定データを記憶部に記憶させると共に、記憶させた測定データに基づく波形を表示部に表示させる。
【０００４】
この際に、測定条件や表示条件などの動作条件の設定（前回使用時から条件の変更）が必要なときには、まず、表示画面上に表示された波形に対するタッチ操作を行う。この際には、タッチされた波形に対応する測定データの測定チャネルが選択される。次いで、選択された測定チャネルについて、トリガ条件、記録長、時間軸レンジおよび表示倍率などを指定することにより、その測定チャネルについての動作条件の設定が完了する。この後、測定処理を再び実行させることにより、設定された動作条件での測定データの生成（記録）および対応する波形の表示画面への表示が実行される。
【先行技術文献】
【特許文献】
【０００５】
【特許文献１】特開２０１４−１５３３１５号公報（第５−１２頁、第１−１２図）
【発明の概要】
【発明が解決しようとする課題】
【０００６】
ところが、出願人が開示している波形表示装置には、以下のような改善すべき課題が存在する。具体的には、出願人が開示している波形表示装置では、表示された波形を選択することで任意の測定チャネルを選択し、所望の条件を指定することによって測定条件や表示条件などの動作条件を設定する構成が採用されている。
【０００７】
この場合、出願人が開示している波形表示装置を含む従来の同種の装置では、トリガ条件（記録開始条件）の設定に際して、任意の信号波形（条件設定用の参照波形）を参照させながら、トリガレベル（信号レベル）、およびトリガレベルを超えて増加したとき（トリガレベルからの波形の立上り時：以下、この波形の立上りを単に「立上り」ともいう）とトリガレベルを下回って減少したとき（トリガレベルからの波形の立下り時：以下、この波形の立下りを単に「立下り」ともいう）のいずれとするかなどを操作スイッチの操作によって指定させる構成が採用されている。
【０００８】
このため、この種の装置においてトリガ条件を設定する際には、トリガレベルの数値入力操作、および立上り／立下りの選択操作の２つの操作を行う必要があり、この操作が煩雑となっている。したがって、この点を改善するのが好ましい。また、特にこの種の装置の使用に不慣れな者にとっては、たとえ参照波形を参照しながらの操作であっても、トリガレベル（信号レベル）をどのようなレベル（数値）とすべきかの特定が困難となっており、意図しないトリガレベルが設定されてしまうおそれがある。このため、設定したトリガ条件に従って測定処理を実行させたときに、所望の条件が設定されていないことに気付いてトリガ条件を再設定する必要が生じることがある。したがって、この点も改善するのが好ましい。
【０００９】
本発明は、かかる課題に鑑みてなされたものであり、波形データの記録開始条件を確実かつ容易に設定し得る波形表示制御装置および波形記録システムを提供することを主目的とする。
【課題を解決するための手段】
【００１０】
上記目的を達成すべく、請求項１記載の波形表示制御装置は、測定装置によって生成された波形データにおける各測定値の信号レベルを波形表示画面における第１の方向に対応させ、かつ当該各測定値の測定順序を当該波形表示画面における当該第１の方向と交差する第２の方向に対応させて当該波形データに基づく信号波形を当該波形表示画面に表示させる処理部を備えた波形表示制御装置であって、前記波形表示画面に対するドラッグ操作が可能なポインティングデバイスを備え、前記処理部は、前記測定装置による前記波形データの少なくとも記録開始条件を規定して開始条件データを生成するデータ生成処理を実行可能に構成されると共に、当該データ生成処理において、前記ポインティングデバイスによって前記波形表示画面上の任意の一点を始点とするドラッグ操作が行なわれたときに、当該始点に対応する前記信号レベルを前記記録開始条件のトリガレベルとして特定し、当該ドラッグ操作における前記第１の方向に沿った第１の操作成分の向きが前記信号レベルの増加方向に対応する向きのときには、前記測定値が前記トリガレベルを超えて増加した時点を基点として前記波形データの記録開始時点を特定して前記記録開始条件を規定し、当該第１の操作成分の向きが前記信号レベルの減少方向に対応する向きのときには、前記測定値が前記トリガレベルを下回って減少した時点を基点として前記記録開始時点を特定して前記記録開始条件を規定し、規定した当該記録開始条件を特定可能に前記開始条件データを生成する。
【００１１】
また、請求項２記載の波形表示制御装置は、請求項１記載の波形表示制御装置において、前記処理部は、前記データ生成処理において、前記波形表示画面において最先の前記測定値がプロットされるべき表示位置と、前記ドラッグ操作における前記始点との前記第２の方向に沿った長さの当該波形表示画面上における時間長を特定すると共に、前記基点に対して特定した当該時間長だけ前の時点を前記記録開始時点として特定して前記記録開始条件を規定する。
【００１２】
また、請求項３記載の波形表示制御装置は、請求項１記載の波形表示制御装置において、前記処理部は、前記データ生成処理において、前記ドラッグ操作における前記第２の方向に沿った第２の操作成分の大きさに対応する前記波形表示画面上における時間長を特定すると共に、前記基点に対して特定した当該時間長だけ前の時点を前記記録開始時点として特定して記録開始条件を規定する。
【００１３】
また、請求項４記載の波形表示制御装置は、請求項１から３のいずれかに記載の波形表示制御装置において、前記処理部は、前記データ生成処理の開始時に、指定された前記波形データの信号波形を前記波形表示画面に表示させる。
【００１４】
また、請求項５記載の波形表示制御装置は、請求項１から４のいずれかに記載の波形表示制御装置において、前記処理部は、前記データ生成処理において、前記記録開始条件を規定したときに、規定した当該記録開始条件を示す条件表示を前記波形表示画面に表示させる。
【００１５】
また、請求項６記載の波形記録システムは、請求項１から５のいずれかに記載の波形表示制御装置と、前記測定装置と、前記波形表示画面を表示可能な表示装置とを備え、前記波形表示制御装置によって生成した前記開始条件データに基づいて前記測定装置によって前記測定値を記録して前記波形データを生成すると共に、前記波形表示制御装置の制御下で前記波形データの信号波形を前記表示装置に表示可能に構成されている。
【発明の効果】
【００１６】
請求項１記載の波形表示制御装置では、処理部は、測定装置による波形データの少なくとも記録開始条件を規定して開始条件データを生成するデータ生成処理において、ポインティングデバイスによって波形表示画面上の任意の一点を始点とするドラッグ操作が行なわれたときに、始点に対応する信号レベルを記録開始条件のトリガレベルとして特定し、ドラッグ操作における第１の方向に沿った第１の操作成分の向きが信号レベルの増加方向に対応する向きのときには、測定値がトリガレベルを超えて増加した時点を基点として波形データの記録開始時点を特定して記録開始条件を規定し、第１の操作成分の向きが信号レベルの減少方向に対応する向きのときには、測定値がトリガレベルを下回って減少した時点を基点として記録開始時点を特定して記録開始条件を規定し、規定した記録開始条件を特定可能に開始条件データを生成する。また、請求項６記載の波形記録システムは、上記の波形表示制御装置と、測定装置と、表示装置とを備えて、波形表示制御装置によって生成した開始条件データに基づいて測定装置によって測定値を記録して波形データを生成すると共に、波形表示制御装置の制御下で波形データの信号波形を表示装置に表示可能に構成されている。
【００１７】
したがって、請求項１記載の波形表示制御装置、および請求項６記載の波形記録システムによれば、記録開始条件として設定すべきトリガレベルに対応する波形表示画面上の任意の一点を始点とするドラッグ操作を行うだけでトリガレベルを指定することができ、波形表示画面において信号レベルが増加する方向へのドラッグ操作を行うことでトリガレベルからの立上りとの条件を指定することができ、かつ、波形表示画面において信号レベルが減少する方向へのドラッグ操作を行うことでトリガレベルからの立下りとの条件を指定することができるため、この種の装置の使用に不慣れな者にであっても、所望の記録開始条件を確実かつ容易に指定して設定させることができる。
【００１８】
請求項２記載の波形表示制御装置、およびそのような波形表示制御装置を備えた波形記録システムでは、処理部が、データ生成処理において、波形表示画面において最先の測定値がプロットされるべき表示位置と、ドラッグ操作における始点との第２の方向に沿った長さの波形表示画面上における時間長を特定すると共に、基点に対して特定した時間長だけ前の時点を記録開始時点として特定して記録開始条件を規定する。
【００１９】
したがって、請求項２記載の波形表示制御装置、およびそのような波形表示制御装置を備えた波形記録システムによれば、記録開始条件として設定すべきプレトリガの時間長に対応する波形表示画面上の任意の一点を始点とするドラッグ操作を行うだけでプレトリガの時間長を指定することができるため、所望の記録開始条件を一層容易に指定して設定させることができる。
【００２０】
請求項３記載の波形表示制御装置、およびそのような波形表示制御装置を備えた波形記録システムでは、処理部が、データ生成処理において、ドラッグ操作における第２の方向に沿った第２の操作成分の大きさに対応する波形表示画面上における時間長を特定すると共に、基点に対して特定した時間長だけ前の時点を記録開始時点として特定して記録開始条件を規定する。
【００２１】
したがって、請求項３記載の波形表示制御装置、およびそのような波形表示制御装置を備えた波形記録システムによれば、波形表示画面上での第２の操作方向に沿った第２の操作成分の大きさが記録開始条件として設定すべきプレトリガの時間長に対応する大きさとなるようなドラッグ操作を行うだけでプレトリガの時間長を指定することができるため、所望の記録開始条件を一層容易に指定して設定させることができる。
【００２２】
請求項４記載の波形表示制御装置、およびそのような波形表示制御装置を備えた波形記録システムによれば、処理部が、データ生成処理の開始時に、指定された波形データの信号波形を波形表示画面に表示させることにより、設定すべきトリガレベルに対応する波形表示画面上の任意の一点を容易に特定することができるため、所望の記録開始条件を一層容易に指定して設定させることができる。
【００２３】
請求項５記載の波形表示制御装置、およびそのような波形表示制御装置を備えた波形記録システムによれば、処理部が、データ生成処理において、記録開始条件を規定したときに、規定した記録開始条件を示す条件表示を波形表示画面に表示させることにより、どのような記録開始条件が規定されたかを確実かつ容易に認識することができるため、意図しない条件が記録された記録開始条件が生成される事態を好適に回避することができる。
【図面の簡単な説明】
【００２４】
【図１】波形記録装置１の構成を示す構成図である。
【図２】設定画面２０の波形表示部２１に波形データＤｗ０の信号波形Ｗ０を表示させた状態の一例を示す表示画面図である。
【図３】波形表示部２１上でのドラッグ操作によるトリガ条件の指定方法について説明するための説明図である。
【図４】設定されたトリガ条件に従って生成された波形データＤｗ１の信号波形Ｗ１を測定結果表示画面３０の波形表示部３１に表示させた状態の表示画面図である。
【図５】設定された他のトリガ条件に従って生成された波形データＤｗ２の信号波形Ｗ２を波形表示部３１の波形表示部３１に表示させた状態の表示画面図である。
【図６】波形表示部２１上でのドラッグ操作によるトリガ条件の他の指定方法について説明するための説明図である。
【発明を実施するための形態】
【００２５】
以下、波形表示制御装置および波形記録システムの実施の形態について、添付図面を参照して説明する。
【００２６】
図１に示す波形記録装置１は、「測定装置」、「波形表示制御装置」および「表示装置」を備えて構成された「波形記録システム」の一例であって、測定部１１、操作部１２、表示部１３、処理部１４および記憶部１５を備え、測定対象についての測定処理、測定結果に基づく波形データの生成および信号波形の表示の処理を実行可能に構成されている。この場合、本例の波形記録装置１は、波形データの記録および信号波形の表示の開始／停止のタイミングを操作部１２の操作によって手動で指示する動作モードに加え、予め設定された動作条件（測定条件および表示条件）に従って波形データの記録および信号波形の表示を自動で開始／停止する動作モードでも使用可能に構成されている。
【００２７】
測定部１１は、処理部１４および記憶部１５と相まって「測定装置」を構成し、処理部１４の制御に従って測定対象についての被測定量（電流値や電圧値などの電気的パラメータ）を設定されたサンプリング周期で測定して測定値Ｄｓを順次出力する。
【００２８】
操作部１２は、一例として、表示部１３の前面側に配設されたタッチパネル（「波形表示画面に対するドラッグ操作が可能なポインティングデバイス」の一例）や、各種の操作スイッチを備え、タッチパネルや操作スイッチに対する操作に応じた操作信号を処理部１４に出力する。この場合、本例の波形記録装置１では、マウス、トラックボールおよびタッチパッドなどのポインティングデバイス（図示せず）を接続することにより、それらのポインティングデバイスによって各種の操作を実行可能に構成されている。
【００２９】
表示部１３は、「表示装置」の一例であって、後述するように、処理部１４の制御に従って設定画面２０（図２，３，６参照）や測定結果表示画面３０（図４，５参照）などの各種表示画面を表示する。なお、本例では、「表示装置」としての表示部１３を備えた構成を例に挙げて説明するが、「表示装置（表示部）」を備えずに、外部装置としての「表示装置」に各種表示画面を表示させる構成を採用することもできる。
【００３０】
処理部１４は、波形記録装置１を総括的に制御する。この処理部１４は、前述したように、測定部１１および記憶部１５と相まって「測定装置」を構成すると共に、操作部１２および記憶部１５と相まって「波形表示制御装置」を構成する。
【００３１】
具体的には、処理部１４は、測定部１１を制御して測定処理を実行させると共に、測定部１１から出力される測定値Ｄｓを記録して波形データＤｗ０，Ｄｗ１・・（「波形データ」の一例：以下、区別しないときには「波形データＤｗ」ともいう）を生成する処理（測定値Ｄｓを記録する処理）を実行する。また、処理部１４は、波形データＤｗに基づく信号波形Ｗ０，Ｗ１・・（図２以降参照：以下、区別しないときには「信号波形Ｗ」ともいう）を表示部１３（設定画面２０の波形表示部２１や測定結果表示画面３０の波形表示部３１）に表示させる。さらに、処理部１４は、後述する動作条件の設定処理を実行して測定値Ｄｓの記録条件（波形データＤｗの生成条件）を特定可能な記録条件データＤｒを生成する。記憶部１５は、処理部１４の動作プログラムや演算結果を記憶する。
【００３２】
次に、波形記録装置１による波形データＤｗの記録、および対応する信号波形Ｗの表示の処理について添付図面を参照して説明する。
【００３３】
この波形記録装置１による波形データＤｗの記録および信号波形Ｗの表示に際して、設定した動作条件に従って各処理を自動で開始／停止させるには、「記録開始条件」を含む諸条件を予め設定する。具体的には、まず、波形記録装置１を測定対象に接続すると共に、操作部１２を操作して動作条件の設定画面を表示部１３に表示させる（図示せず）。なお、この波形記録装置１において設定可能な動作条件は、後述の「波形データの記録」に関する条件だけでなく、測定部１１による「測定処理」の条件や、「波形データに基づく信号波形の表示」に関する条件などの各種の動作条件が存在するが、以下、主として「波形データの記録」に関する条件の設定について説明する。
【００３４】
最初に、「波形データの記録」に関する条件のうちの「記録開始条件」の設定に際しては、まず、操作部１２を操作して図２に示す設定画面２０を表示部１３に表示させる。この場合、設定画面２０には、波形データＤｗに基づく信号波形Ｗが表示される波形表示部２１（「波形表示画面」の一例）が設けられている。この波形表示部２１には、波形データＤｗにおける各測定値Ｄｓの信号レベルが上下方向（縦軸：「第１の方向」の一例）に対応させられ、かつ各測定値Ｄｓの測定順序（時間軸）が左右方向（横軸：「第１の方向と交差する第２の方向」の一例）に対応させられて波形データＤｗに基づく信号波形Ｗが表示される。なお、同図の例では波形表示部２１に信号波形Ｗ０が表示されているが、表示部１３に設定画面２０を表示させた直後の波形表示部２１には、信号波形Ｗが表示されていない。
【００３５】
次いで、「トリガレベル」等を規定するための参照波形を取得する。具体的には、操作部１２を操作して測定部１１による測定処理を開始させる。この際には、測定部１１が処理部１４の制御下で測定処理を開始し、その時点において設定されている測定条件（例えば、前回使用時に設定された測定条件）に従って測定対象についての被測定量（一例として、電圧値）を測定して測定値Ｄｓを順次出力する。
【００３６】
一方、処理部１４は、測定部１１から出力される測定値Ｄｓを記憶部１５に波形データＤｗ０として記憶させる（波形データＤｗ０に測定値Ｄｓの値を追記する）と共に、各測定値Ｄｓに対応する「点」を波形表示部２１内に順次プロットする。これにより、図２に示すように、測定部１１によって測定されている電圧値についての波形データＤｗ０に基づく信号波形Ｗ０が設定画面２０の波形表示部２１に表示される（「データ生成処理の開始時に、指定された波形データの信号波形を波形表示画面に表示させる」との処理の一例）。
【００３７】
次いで、操作部１２を操作して測定部１１による測定処理を停止させ、「記録開始条件」を指定する。この場合、波形データＤｗの「記録開始条件」としては、「トリガレベル」と、「測定値Ｄｓがトリガレベルを超えて増加した時点、および測定値Ｄｓがトリガレベルを下回って減少した時点のいずれを基点とするか（トリガレベルからの立上りおよび立下りのいずれを基点とするか）」と、「基点と記録開始時点との間の時間長（いわゆる「プレトリガ」）」とをそれぞれ指定する必要がある。
【００３８】
この際に、図２に示す信号レベルＬｖ１を「トリガレベル」として信号レベルＬｖ１からの立上り時を「基点」とし、かつ波形表示部２１における３Ｄｉｖ分の時間長Ｔ１を「プレトリガ」の時間長として「記録開始条件」を指定する場合には、波形表示部２１上で以下のようなドラッグ操作を行う。
【００３９】
まず、利用者は、所望の「トリガレベル」である信号レベルＬｖ１に対応する波形表示部２１上における上下方向（縦軸方向）の位置を特定する。次いで、所望の「プレトリガ」である時間長Ｔ１を指定し得る波形表示部２１上における左右方向（横軸方向）の位置を特定する。この際には、波形表示部２１において最先の測定値Ｄｓがプロットされるべき表示位置（本例では、波形表示部２１の左隅の位置）から時間長Ｔ１に相当する３Ｄｉｖだけ右寄りの位置が時間長Ｔ１を指定し得る位置として特定される。続いて、利用者は、図３に示すように、特定した両方向の交点である位置Ｐ１を始点とする矢印Ａの向き（上向き）のドラッグ操作を行う（「ポインティングデバイスによって波形表示画面上の任意の一点を始点とするドラッグ操作が行なわれたとき」の一例）。
【００４０】
この際に、処理部１４は、まず、ドラッグ操作の「始点」である位置Ｐ１に対応する波形表示部２１上の信号レベル（本例では、信号レベルＬｖ１）を「記録開始条件」の「トリガレベル」として特定する。次いで、処理部１４は、ドラッグ操作における上下方向（縦軸方向）に沿った操作成分（「第１の操作成分」の一例）の向きが「信号レベルの増加方向」に対応する向きであるか、「信号レベルの減少方向」に対応する向きであるかを特定する。この際に、矢印Ａの向き（上向き）のドラッグ操作が行われた本例では、上下方向に沿った操作成分の向きが「信号レベルの増加方向」に対応する向きであると特定し、「測定値Ｄｓがトリガレベルを超えて増加した時点」を「基点」として特定する。
【００４１】
続いて、処理部１４は、波形表示部２１において最先の測定値Ｄｓがプロットされるべき表示位置（本例では、波形表示部２１の左端部）と、ドラッグ操作における「始点」である位置Ｐ１との左右方向に沿った長さの波形表示部２１上における時間長（本例では、波形表示部２１の３Ｄｉｖに対応する時間長）を特定する。この際に、例えば波形表示部２１の１Ｄｉｖが１０ｍｓに対応させられている場合には、処理部１４は、３Ｄｉｖ＝３０ｍｓとの時間長Ｔ１を「プレトリガ」の時間長として特定する。次いで、処理部１４は、先に特定した「基点」に対して時間長Ｔ１だけ前の時点を「記録開始時点」として特定し、特定した「記録開始時点」を「記録開始条件」として規定する。
【００４２】
また、処理部１４は、上記のように「記録開始条件」を規定したときに、規定した「記録開始条件」を示すマーク２２ａ（「条件表示」の一例）を波形表示部２１に表示させる。この場合、同図に示す例のマーク２２ａは、波形表示部２１上における上下方向の位置によって「規定されたトリガレベル」を示し、波形表示部２１の左端部に対する左右方向の位置（波形表示部２１の左端部とマーク２２ａとの左右方向に沿った距離）によって「規定されたプレトリガ（「基点」と「記録開始時点」との間の時間長）」を示し、矢印状の図柄の向きによって「トリガレベルからの立上り時／立下り時」のいずれを規定したかを示している。これにより、マーク２２ａを見た利用者が、所望の「記録開始条件」が規定されたか否かを把握することが可能となっている。
【００４３】
したがって、マーク２２ａを見て、所望の「記録開始条件」が規定されたことを把握した利用者は、操作部１２を操作することにより、処理部１４によって規定された「記録開始条件」を確定させて設定画面２０を閉じる。これに応じて、処理部１４は、規定した「記録開始条件」を特定可能な記録条件データＤｒを生成して記憶部１５に記憶させる。これにより、「開始条件データ」の一例である記録条件データＤｒの生成が完了する。以上により、「データ生成処理」が完了する。なお、詳細な説明を省略するが、生成される記録条件データＤｒには、利用者によって指定された「波形データＤｗの記録を終了させる条件（記録終了条件）」が記録される。これにより、記録条件データＤｒに基づく波形データＤｗの記録、および信号波形Ｗの表示を自動で開始させる準備が整う。
【００４４】
この場合、上記の「データ生成処理」によって生成された記録条件データＤｒに基づく波形データＤｗの記録および信号波形Ｗの表示を実行させるには、波形記録装置１（測定部１１）を測定対象に接続した状態のまま、操作部１２を操作して、記録および表示の処理の開始を待機する状態に移行させる。
【００４５】
この際に、処理部１４は、図４に示すように、まず、測定結果表示画面３０を表示部１３に表示させる。この測定結果表示画面３０には、設定画面２０の波形表示部２１と同様に波形データＤｗに基づく信号波形Ｗが表示される波形表示部３１が設けられている。この波形表示部３１には、波形データＤｗにおける各測定値Ｄｓの信号レベルが上下方向（縦軸：「第１の方向」の一例）に対応させられ、かつ各測定値Ｄｓの測定順序（時間軸）が左右方向（横軸：「第１の方向と交差する第２の方向」の一例）に対応させられて信号波形Ｗが表示される。なお、同図の例では波形表示部３１に信号波形Ｗ１が表示されているが、表示部１３に測定結果表示画面３０を表示させた直後の波形表示部３１には、信号波形Ｗが表示されていない。
【００４６】
また、処理部１４は、測定部１１を制御して測定処理を開始させる。これに応じて、測定部１１が測定対象の電圧値を測定して測定値Ｄｓを順次出力し、処理部１４が、測定部１１から出力される測定値Ｄｓを記憶部１５に例えばリングバッファ形式で順次記憶させつつ、各測定値Ｄｓに対応する「点」を波形表示部３１内に順次プロットすることで電圧値の変動を示す信号波形Ｗをリアルタイム表示させる。また、処理部１４は、測定部１１から出力される測定値Ｄｓが、記録条件データＤｒに記録されている「記録開始条件」を満たす状態となったか否かを監視する。
【００４７】
この際に、順次出力される測定値Ｄｓに「信号レベルＬｖ１を超えて増加する」との条件を満たす変化が生じたときに、処理部１４は、そのような変化が生じた測定値Ｄｓの測定時よりも時間長Ｔ１だけ前の時点に測定部１１から出力された測定値Ｄｓを「記録開始時点」の測定値Ｄｓ（最先の測定値Ｄｓ）として波形データＤｗ１の記録を開始する。また、記録条件データＤｒに記録されている「記録終了条件」が満たされたとき（一例として、予め規定された時間長に対応する数の測定値Ｄｓの波形データＤｗ１への記録を完了したとき）に、処理部１４は、波形データＤｗ１の記録（波形データＤｗ１への測定値Ｄｓの追記）を終了する。これにより、記録条件データＤｒに基づく波形データＤｗ１の記録が完了する。
【００４８】
この場合、波形データＤｗ１の記録を完了した状態では、リアルタイム表示されている信号波形Ｗに代えて、図４に示すように、波形データＤｗ１に基づく信号波形Ｗ１を波形表示部３１に表示させることができる。なお、同図の測定結果表示画面３０の例では、波形データＤｗ１に記録された最先の測定値Ｄｓに対応する「点」が波形表示部３１の左端部にプロットされた状態の信号波形Ｗ１を図示している。この波形表示部３１には、信号波形Ｗ１の波形データＤｗ１の記録に際して使用した記録条件データＤｒに記録されている「トリガレベル」を示すトリガレベル表示３２、および波形表示部３１の左端部に対する位置（左端部から表示位置までの距離）によって「プレトリガ」の時間長を示すトリガ位置表示３３が信号波形Ｗ１と共に表示される。以上により、波形データＤｗ１に基づく信号波形Ｗ１の表示が完了する。
【００４９】
一方、上記の「記録開始条件」例に代えて、図２に示す信号レベルＬｖ２を「トリガレベル」として信号レベルＬｖ２からの立下り時を「基点」とし、かつ波形表示部２１における１Ｄｉｖ分の時間長Ｔ２を「プレトリガ」の時間長として「記録開始条件」を指定する場合には、波形表示部２１上で以下のようなドラッグ操作を行う。
【００５０】
まず、利用者は、所望の「トリガレベル」である信号レベルＬｖ２に対応する波形表示部２１上における上下方向（縦軸方向）の位置を特定する。次いで、所望の「プレトリガ」である時間長Ｔ２を指定し得る波形表示部２１上における左右方向（横軸方向）の位置を特定する。この際には、波形表示部２１において最先の測定値Ｄｓがプロットされるべき表示位置（本例では、波形表示部２１の左隅の位置）から時間長Ｔ２に相当する１Ｄｉｖだけ右寄りの位置が時間長Ｔ２を指定し得る位置として特定される。続いて、利用者は、図３に示すように、特定した両方向の交点である位置Ｐ２を始点とする矢印Ｂの向き（下向き）のドラッグ操作を行う（「ポインティングデバイスによって波形表示画面上の任意の一点を始点とするドラッグ操作が行なわれたとき」の他の一例）。
【００５１】
この際に、処理部１４は、まず、ドラッグ操作の「始点」である位置Ｐ２に対応する波形表示部２１上の信号レベル（本例では、信号レベルＬｖ２）を「記録開始条件」の「トリガレベル」として特定する。次いで、処理部１４は、ドラッグ操作における上下方向（縦軸方向）に沿った操作成分（「第１の操作成分」の他の一例）の向きが「信号レベルの増加方向」に対応する向きであるか、「信号レベルの減少方向」に対応する向きであるかを特定する。この際に、矢印Ｂの向き（下向き）のドラッグ操作が行われた本例では、上下方向に沿った操作成分の向きが「信号レベルの減少方向」に対応する向きであると特定し、「測定値Ｄｓがトリガレベルを下回って減少した時点」を「基点」として特定する。
【００５２】
続いて、処理部１４は、波形表示部２１において最先の測定値Ｄｓがプロットされるべき表示位置（本例では、波形表示部２１の左端部）と、ドラッグ操作における「始点」である位置Ｐ２との左右方向に沿った長さの波形表示部２１上における時間長（本例では、波形表示部２１の１Ｄｉｖに対応する時間長）を特定する。この際に、処理部１４は、１Ｄｉｖ＝１０ｍｓとの時間長Ｔ２を「プレトリガ」の時間長として特定する。次いで、処理部１４は、先に特定した「基点」に対して時間長Ｔ２だけ前の時点を「記録開始時点」として特定し、特定した「記録開始時点」を「記録開始条件」として規定する。
【００５３】
また、処理部１４は、上記のように「記録開始条件」を規定したときに、規定した「記録開始条件」を示すマーク２２ｂ（「条件表示」の他の一例）を波形表示部２１に表示させる。これにより、マーク２２ｂを見た利用者が、所望の「記録開始条件」が規定されたか否かを把握することが可能となっている。
【００５４】
したがって、マーク２２ｂを見て、所望の「記録開始条件」が規定されたことを把握した利用者は、操作部１２を操作することにより、処理部１４によって規定された「記録開始条件」を確定させて設定画面２０を閉じる。これに応じて、処理部１４は、規定した「記録開始条件」を特定可能な記録条件データＤｒを生成して記憶部１５に記憶させる。これにより、「開始条件データ」の他の一例である記録条件データＤｒの生成が完了する。以上により、「データ生成処理」が完了し、記録条件データＤｒに基づく波形データＤｗの記録、および信号波形Ｗの表示を自動で開始させる準備が整う。
【００５５】
続いて、波形記録装置１（測定部１１）を測定対象に接続した状態のまま、操作部１２を操作して、記録および表示の処理の開始を待機する状態に移行させる。この際に、処理部１４は、図５に示すように、まず、測定結果表示画面３０を表示部１３に表示させる。なお、同図の例では波形表示部３１に信号波形Ｗ１が表示されているが、表示部１３に測定結果表示画面３０を表示させた直後の波形表示部３１には、信号波形Ｗが表示されていない。
【００５６】
また、処理部１４は、測定部１１を制御して測定処理を開始させる。これに応じて、測定部１１が測定対象の電圧値を測定して測定値Ｄｓを順次出力し、処理部１４が、測定部１１から出力される測定値Ｄｓを記憶部１５に例えばリングバッファ形式で順次記憶させつつ、各測定値Ｄｓに対応する「点」を波形表示部３１内に順次プロットすることで電圧値の変動を示す信号波形Ｗをリアルタイム表示させる。また、処理部１４は、測定部１１から出力される測定値Ｄｓが、記録条件データＤｒに記録されている「記録開始条件」を満たす状態となったか否かを監視する。
【００５７】
この際に、順次出力される測定値Ｄｓに「信号レベルＬｖ２を下回って減少する」との条件を満たす変化が生じたときに、処理部１４は、そのような変化が生じた測定値Ｄｓの測定時よりも時間長Ｔ２だけ前の時点に測定部１１から出力された測定値Ｄｓを「記録開始時点」の測定値Ｄｓ（最先の測定値Ｄｓ）として波形データＤｗ２の記録を開始する。また、記録条件データＤｒに記録されている「記録終了条件」が満たされたとき（一例として、予め規定された時間長に対応する数の測定値Ｄｓの波形データＤｗ２への記録を完了したとき）に、処理部１４は、波形データＤｗ２の記録（波形データＤｗ２への測定値Ｄｓの追記）を終了する。これにより、記録条件データＤｒに基づく波形データＤｗ２の記録が完了する。
【００５８】
この場合、波形データＤｗ２の記録を完了した状態では、リアルタイム表示されている信号波形Ｗに代えて、図５に示すように、波形データＤｗ２に基づく信号波形Ｗ２を波形表示部３１に表示させることができる。なお、同図の測定結果表示画面３０の例では、波形データＤｗ２に記録された最先の測定値Ｄｓに対応する「点」が波形表示部３１の左端部にプロットされた状態の信号波形Ｗ２を図示している。この波形表示部３１には、信号波形Ｗ２の波形データＤｗ２の記録に際して使用した記録条件データＤｒに記録されている「トリガレベル」を示すトリガレベル表示３２、および波形表示部３１の左端部に対する位置（左端部から表示位置までの距離）によって「プレトリガ」の時間長を示すトリガ位置表示３３が信号波形Ｗ２と共に表示される。以上により、波形データＤｗ２に基づく信号波形Ｗ２の表示が完了する。
【００５９】
このように、この波形記録装置１では、処理部１４は、測定部１１による波形データＤｗ１，Ｄｗ２・・の少なくとも「記録開始条件」を規定して記録条件データＤｒを生成する「データ生成処理」において、「ポインティングデバイス（本例では、操作部１２のタッチパネル）」によって設定画面２０における波形表示部２１上の任意の一点を始点とするドラッグ操作が行なわれたときに、始点に対応する信号レベルを「記録開始条件」のトリガレベルとして特定し、ドラッグ操作における「第１の方向（本例では、上下方向）」に沿った「第１の操作成分（上向き操作成分、または下向き操作成分）」の向きが信号レベルの増加方向に対応する向きのときには、測定値Ｄｓがトリガレベルを超えて増加した時点を基点として波形データＤｗの記録開始時点を特定して「記録開始条件」を規定し、「第１の操作成分」の向きが信号レベルの減少方向に対応する向きのときには、測定値Ｄｓがトリガレベルを下回って減少した時点を基点として記録開始時点を特定して「記録開始条件」を規定し、規定した「記録開始条件」を特定可能に記録条件データＤｒを生成する。また、この波形記録装置１は、「波形表示制御装置」としての操作部１２、処理部１４および記憶部１５と、「測定装置」としての測定部１１、処理部１４および記憶部１５と、「表示装置」としての表示部１３とを備え、生成した記録条件データＤｒに基づいて測定部１１からの測定値Ｄｓを記録して波形データＤｗを生成すると共に、波形データＤｗの信号波形を表示部１３に表示可能に構成されている。
【００６０】
したがって、この波形記録装置１によれば、「記録開始条件」として設定すべき「トリガレベル」に対応する波形表示部２１上の任意の一点を「始点」とするドラッグ操作を行うだけで「トリガレベル」を指定することができ、波形表示部２１において信号レベルが増加する方向へのドラッグ操作を行うことで「トリガレベルからの立上り」との条件を指定することができ、かつ、波形表示部２１において信号レベルが減少する方向へのドラッグ操作を行うことで「トリガレベルからの立下り」との条件を指定することができるため、この種の装置の使用に不慣れな者にであっても、所望の「記録開始条件」を確実かつ容易に指定して設定させることができる。
【００６１】
また、この波形記録装置１では、処理部１４が、「データ生成処理」において、波形表示部２１において最先の測定値Ｄｓがプロットされるべき表示位置（本例では、波形表示部２１の左端部）と、ドラッグ操作における始点（本例では、位置Ｐ１や位置Ｐ２）との「第２の方向（本例では、左右方向）」に沿った長さの波形表示部２１上における時間長を特定すると共に、基点に対して特定した時間長だけ前の時点を記録開始時点として特定して「記録開始条件」を規定する。
【００６２】
したがって、この波形記録装置１によれば、「記録開始条件」として設定すべき「プレトリガ」の時間長に対応する波形表示部２１上の任意の一点を「始点」とするドラッグ操作を行うだけで「プレトリガ」の時間長を指定することができるため、所望の「記録開始条件」を一層容易に指定して設定させることができる。
【００６３】
また、この波形記録装置１によれば、処理部１４が、「データ生成処理」の開始時に、指定された波形データＤｗ０の信号波形Ｗ０を波形表示部２１に表示させることにより、設定すべき「トリガレベル」に対応する波形表示部２１上の任意の一点を容易に特定することができるため、所望の「記録開始条件」を一層容易に指定して設定させることができる。
【００６４】
また、この波形記録装置１によれば、処理部１４が、「データ生成処理」において、「記録開始条件」を規定したときに、規定した「記録開始条件」を示すマーク２２ａ，２２ｂを波形表示部２１に表示させることにより、どのような「記録開始条件」が規定されたかを確実かつ容易に認識することができるため、意図しない条件が記録された記録条件データＤｒが生成される事態を好適に回避することができる。
【００６５】
なお、「波形表示制御装置」および「波形記録システム」の構成は、上記の波形記録装置１の構成の例に限定されない。例えば、参照波形（信号波形Ｗ０）を表示させた状態の波形表示部２１においてドラッグ操作を行うことで「記録開始条件」等を設定する操作方法を例に挙げて説明したが、上記の波形記録装置１では、信号波形Ｗが表示されていない状態の波形表示部２１上においてドラッグ操作を行った場合においても、ドラッグ操作の操作内容に応じて上記の例と同様の「記録開始条件」等が規定されて記録条件データＤｒが生成される。
【００６６】
また、「記録開始条件」のうちの「基点と記録開始時点との間の時間長（プレトリガの時間長）」に関して、波形表示部２１において最先の測定値Ｄｓがプロットされるべき表示位置と、ドラッグ操作における始点との「第２の方向（上記の例では、左右方向）」に沿った長さを異ならせることで任意の時間長を指定することが可能な構成を例に挙げて説明したが、このような構成に代えて、ドラッグ操作における「第２の方向」に沿った「第２の操作成分」の大きさを異ならせることで任意の時間長を指定する構成を採用することもできる。
【００６７】
具体的には、図６に示す信号レベルＬｖ３を「トリガレベル」として信号レベルＬｖ３からの立上り時を「基点」とし、かつ波形表示部２１における２Ｄｉｖ分の時間長Ｔ３を「プレトリガ」の時間長として「記録開始条件」を指定するときに、波形表示部２１上で以下のようなドラッグ操作を行う。
【００６８】
まず、利用者は、所望の「トリガレベル」である信号レベルＬｖ３に対応する波形表示部２１上における上下方向（縦軸方向）の位置を特定する。この際には、一例として、波形表示部２１に表示されている信号波形Ｗ０が信号レベルＬｖ３を超えた位置Ｐ３ａを信号レベルＬｖ３に対応する位置として特定する。次いで、特定した位置Ｐ３を始点とする矢印Ｃの向き（ななめ上向き）のドラッグ操作を行う（「ポインティングデバイスによって波形表示画面上の任意の一点を始点とするドラッグ操作が行なわれたとき」のさらに他の一例）。
【００６９】
この際には、ドラッグ操作の始点（位置Ｐ３ａ）と、終点（位置Ｐ３ｂ）との間の波形表示部２１における左右方向の長さ、すなわち、矢印Ｃの向きへのドラッグ操作における「第２の操作方向」に沿った「第２の操作成分」の大きさが、所望の「プレトリガ」である時間長Ｔ３に対応する長さ（本例では、波形表示部２１における２Ｄｉｖ分の長さ）となるようにドラッグ操作を行う。
【００７０】
これに応じて、処理部１４は、まず、ドラッグ操作の「始点」である位置Ｐ３ａに対応する波形表示部２１上の信号レベル（本例では、信号レベルＬｖ３）を「記録開始条件」の「トリガレベル」として特定する。次いで、処理部１４は、ドラッグ操作における上下方向（縦軸方向）に沿った操作成分（「第１の操作成分」のさらに他の一例）の向きが「信号レベルの増加方向」に対応する向きであるか、「信号レベルの減少方向」に対応する向きであるかを特定する。この際に、矢印Ｃの向き（斜め上向き）のドラッグ操作が行われた本例では、上下方向に沿った操作成分の向きが「信号レベルの増加方向」に対応する向きであると特定し、「測定値Ｄｓがトリガレベルを超えて増加した時点」を「基点」として特定する。
【００７１】
続いて、処理部１４は、ドラッグ操作における「始点（位置Ｐ３ａ）」と「終点（位置Ｐ３ｂ）」との左右方向（横軸方向）に沿った操作成分（第２の操作成分）の大きさに対応する波形表示部２１上の時間長（本例では、波形表示部２１の２Ｄｉｖに対応する時間長）を特定する。この際に、処理部１４は、２Ｄｉｖ＝２０ｍｓとの時間長Ｔ３を「プレトリガ」の時間長として特定する。次いで、処理部１４は、先に特定した「基点」に対して時間長Ｔ３だけ前の時点を「記録開始時点」として特定し、特定した「記録開始時点」を「記録開始条件」として規定する。
【００７２】
また、処理部１４は、上記のように「記録開始条件」を規定したときに、規定した「記録開始条件」を示すマーク２２ｃ（「条件表示」のさらに他の一例）、およびマーク２３（「条件表示」のさらに他の一例）を波形表示部２１に表示させる。この場合、同図に示す例のマーク２２ｃは、波形表示部２１上における上下方向の位置によって「規定されたトリガレベル」を示し、かつ矢印状の図柄の向きによって「トリガレベルからの立上り時／立下り時」のいずれを規定したかを示している。また、マーク２３は、波形表示部２１の左端部に対する左右方向の位置（波形表示部２１の左端部とマーク２３との左右方向に沿った距離）によって「規定されたプレトリガ（「基点」と「記録開始時点」との間の時間長）」を示している。これにより、マーク２２ｃ，２３を見た利用者が、所望の「記録開始条件」が規定されたか否かを把握することが可能となっている。
【００７３】
したがって、マーク２２ｃ，２３を見て、所望の「記録開始条件」が規定されたことを把握した利用者は、操作部１２を操作することにより、処理部１４によって規定された「記録開始条件」を確定させて設定画面２０を閉じる。これに応じて、処理部１４は、規定した「記録開始条件」を特定可能な記録条件データＤｒを生成して記憶部１５に記憶させる。これにより、「開始条件データ」のさらに他の一例である記録条件データＤｒの生成が完了する。以上により、「データ生成処理」が完了し、記録条件データＤｒに基づく波形データＤｗの記録、および信号波形Ｗの表示を自動で開始させる準備が整う。
【００７４】
このように、「データ生成処理」において、処理部１４が、ドラッグ操作における「第２の方向」に沿った「第２の操作成分」の大きさに対応する波形表示部２１上における時間長を特定すると共に、基点に対して特定した時間長だけ前の時点を記録開始時点として前特定して「記録開始条件」を規定する構成によれば、波形表示部２１上での「第２の操作方向」に沿った「第２の操作成分」の大きさが「記録開始条件」として設定すべき「プレトリガ」の時間長に対応する大きさとなるようなドラッグ操作を行うだけで「プレトリガ」の時間長を指定することができるため、所望の「記録開始条件」を一層容易に指定して設定させることができる。
【００７５】
さらに、各測定値Ｄｓの信号レベルを波形表示部２１，３１における「第１の方向」としての上下方向（縦軸方向）に対応させ、かつ各測定値Ｄｓの測定順序を波形表示部２１，３１における「第２の方向」としての左右方向（横軸方法）に対応させて信号波形Ｗを表示させる構成の波形記録装置１を例に挙げて説明したが、信号レベルを「第１の方向」としての左右方向（横軸方向）に対応させ、かつ測定順序を「第２の方向」としての上下方向（縦軸方向）に対応させて信号波形Ｗを表示させる構成を採用することもできる。また、「第１の方向」と「第２の方向」との交差の角度は、上下方向および左右方向の交差の角度のような直角に限定されず、直角以外の任意の角度とすることもできる。
【００７６】
加えて、「動作条件」としての波形データＤｗの「記録開始条件」を波形表示部２１上でのドラッグ操作によって指定することが可能な構成を例に挙げて説明したが、波形データＤｗの「記録終了条件」、「記録一時停止条件」および「記録再開条件」などの諸条件を波形表示部２１上でのドラッグ操作によって指定可能な構成を採用することもできる。
【符号の説明】
【００７７】
１  波形記録装置
１１  測定部
１２  操作部
１３  表示部
１４  処理部
１５  記憶部
２０  設定画面
２１，３１  波形表示部
２２ａ〜２２ｃ，２３  マーク
３０  測定結果表示画面
３１  トリガレベル表示
３２  トリガ位置表示
Ｄｓ  測定値
Ｄｗ０，Ｄｗ１・・  波形データ
Ｄｒ  記録条件データ
Ｌｖ１〜Ｌｖ３  信号レベル
Ｐ１，Ｐ２，Ｐ３ａ，Ｐ３ｂ  位置
Ｔ１〜Ｔ３  時間長
Ｗ０，Ｗ１・・  信号波形
【図１】
2019078581.tif 000003
【図２】
2019078581.tif 000004
【図３】
2019078581.tif 000005
【図４】
2019078581.tif 000006
【図５】
2019078581.tif 000007
【図６】
2019078581.tif 000008